(57)【要約】【課題】好適な天井への立体的装飾施工法を提供する。【解決手段】不燃性基材パネルの表面、４側面および裏面の縁部を装飾用塩化ビニル樹脂フィルムでラミネート加工して装飾用ボード10とする第１工程と、目地50となる箇所に、予め装飾用塩化ビニル樹脂フィルムを貼付する第２工程と、複数の装飾用ボードの裏面に接着剤を塗布して天井下地40に目透かし貼りする第３工程と、目地が交差する十字目地を形成する４枚の装飾用ボードそれぞれに当接するように保持板20を押し当てた状態で、保持板１枚につき（図示では）８箇所において保持板を貫通して十字目地の交差部から伸びる４方向の目地路それぞれに刺さるようにピン30で仮ピン留めを行なう第４工程と、装飾用ボードと天井下地との接着が完了した後に仮ピン留めを外して保持板を取り除く第５工程を含む工法とする。【選択図】図２
2020020116.tif 000002
【特許請求の範囲】
【請求項１】
天井に立体的な装飾を施工する方法であって、
板状の不燃性基材パネルの一方板面を表面、反対板面を裏面、板面を除く４面を側面としたときに、前記不燃性基材パネルの表面、４側面および裏面の縁部を装飾用塩化ビニル樹脂フィルムでラミネート加工して装飾用ボードとする第１工程と、
天井下地に前記装飾用ボードを目透かし貼りしたときに目地となる箇所に、予め前記装飾用塩化ビニル樹脂フィルムを貼付する第２工程と、
複数の前記装飾用ボードの裏面に少なくとも接着剤を塗布して前記天井下地に目透かし貼りする第３工程と、
前記目地が交差する十字目地を形成する４枚の前記装飾用ボードそれぞれに当接するように保持板を押し当てた状態で、前記保持板１枚につき少なくとも４箇所において前記保持板表面から前記保持板を貫通して前記十字目地の交差部から伸びる４方向の目地路それぞれに刺さるように仮ピン留めを行なう第４工程と、
前記装飾用ボードと前記天井下地と間の接着剤が固着した後に前記仮ピン留めを外して前記保持板を取り除く第５工程を含む天井の立体的装飾施工法。
【請求項２】
前記第４工程の仮ピン留めで用いるピンの胴部の直径が、０．６〜１．３ｍｍである請求項１記載の天井の立体的装飾施工法。
【請求項３】
前記第４工程において、前記保持板１枚によって保持される装飾用ボード１枚の面積割合が、前記装飾用ボード表面の表面積に対して１／１２０以上である請求項１記載の天井の立体的装飾施工法。
【請求項４】
前記保持板が、その片面の全体が樹脂または繊維材により覆われた保護面を有し、前記第４工程において、前記保護面の側において前記装飾用ボードに当接するように押し当てる請求項１記載の天井の立体的装飾施工法。
【請求項５】
前記第３工程において、十字目地を形成する４枚の装飾用ボード目透かし貼りして一画を形成し、
その直後に当該一画に対して前記第４工程の仮ピン留めを行ない、
さらに他の一画に対して同様の工程を繰り返す、請求項１記載の天井の立体的装飾施工法。
【請求項６】
前記装飾用ボードの最も長い１辺の長さが１．３ｍを超える場合に、前記第４工程に加えて、前記第４工程で配した隣り合う保持板の中間位置に、目地路を形成する隣り合う装飾用ボードそれぞれに当接するように補助保持板を押し当てた状態で、前記補助保持板１枚につき少なくとも２箇所において前記補助保持板表面から前記補助保持板を貫通して前記目地路に刺さるように追加の仮ピン留めを行なう工程を含む請求項１記載の天井の立体的装飾施工法。
【発明の詳細な説明】
【技術分野】
【０００１】
本発明は、建築物の天井下地に立体的な装飾パネルを取り付ける天井の立体的装飾施工法に関する。
【背景技術】
【０００２】
従来、建築物における内装の装飾としては、例えば壁面であれば壁面下地に壁紙を貼付する方法が一般的であり、天井においても天井下地が存在する場合は、天井用壁紙を貼付して装飾する方法がある。壁紙を貼付すれば、その装飾は平面的なものとなる。一方で近年、壁面下地に立表面が装飾された複数同形状のパネルを、釘などの留具を使って下地材に取り付けるなどした立体的な内装装飾が採用されることも増えてきている（例えば、特許文献１）。
【０００３】
そのような立体的な内装装飾を施工する方法として住友スリーエム株式会社が提唱するＤボード工法がある（建築基準法施行規則第10条の5の22の規定に基づく防火材料／防火設備の認定。認定番号：ＮＭ-0131，平成13年8月23日認定，名称「塩化ビニル樹脂フィルム張／不燃材料（金属板を除く）」）。
【０００４】
Ｄボード工法は、ケイ酸カルシウムの不燃性基材パネルの表面、４側面および裏面の縁を巻き込んで装飾用の塩化ビニル樹脂フィルムをラミネート加工（四方巻込貼り）して装飾用ボードにするとともに、壁面下地についても、複数の装飾用ボードを取り付けた際に目地になる箇所にも予め同種の装飾用の塩化ビニル樹脂フィルムを貼付した上で、両面テープと接着剤を使用して壁面下地に前記装飾用ボードを目透かし貼りする施工方法である。
【０００５】
住友スリーエム株式会社では、前記の塩化ビニル樹脂フィルムとしてダイノック（登録商標）フィルムを使用し、同社特約業者・施工業者の業者の工場で前記の不燃性基材パネルのラミネート加工された装飾用ボードを使用することを条件に、Ｄボード工法を一般の内装施工業者等にも開放している。すなわちＤボード工法では、不燃性基材パネルのラミネート加工を技術を有する特定の業者によって工場貼りされるので、工期が短縮できるとともに、均一で美しい仕上がりにすることができる。
【先行技術文献】
【特許文献】
【０００６】
【特許文献１】特開２００１−２７０３０号
【発明の概要】
【発明が解決しようとする課題】
【０００７】
上記ではＤボード工法による壁面の立体的装飾を例に述べたが、Ｄボード工法は壁面のみならず、天井面や床面の立体的装飾にも適用できるとしている。ところが天井に施工する場合、接着剤が完全に乾燥して固着するまでは、装飾用ボードはほぼ両面テープの接着力によって天井下地に接着されているだけなので、天井下地の材質、施工時の気温や湿度、天井下地や装飾用ボードに付着した細かな塵や埃の付着など、様々な要因から、ともすれば装飾用ボードが天井から落下してしまうおそれがある。固定を接着剤によるのではなく、釘などの留具で装飾用ボードを天井下地に打ち付ければこのような問題は解消されるが、美しい仕上がりが特徴であるＤボード工法の利点を損なうことになる。
【０００８】
上記現状を鑑みて、本発明では、Ｄボード工法で天井の立体的装飾を行なうにあたって、接着剤が固着するまでの間に、装飾用ボードが天井から落下することを防止し、かつ仕上がりの美しさも損なわない天井の立体的装飾施工法を提供することを課題とする。
【課題を解決するための手段】
【０００９】
上記課題を解決するために、本発明の天井に立体的な装飾を施工する方法においては、
板状の不燃性基材パネルの一方板面を表面、反対板面を裏面、板面を除く４面を側面としたときに、前記不燃性基材パネルの表面、４側面および裏面の縁部を装飾用塩化ビニル樹脂フィルムでラミネート加工して装飾用ボードとする第１工程と、
天井下地に前記装飾用ボードを目透かし貼りしたときに目地となる箇所に、予め前記装飾用塩化ビニル樹脂フィルムを貼付する第２工程と、
複数の前記装飾用ボードの裏面に少なくとも接着剤を塗布して前記天井下地に目透かし貼りする第３工程と、
前記目地が交差する十字目地を形成する４枚の前記装飾用ボードそれぞれに当接するように保持板を押し当てた状態で、前記保持板１枚につき少なくとも４箇所において前記保持板表面から前記保持板を貫通して前記十字目地の交差部から伸びる４方向の目地路それぞれに刺さるように仮ピン留めを行なう第４工程と、
前記装飾用ボードと前記天井下地と間の接着剤が固着した後に前記仮ピン留めを外して前記保持板を取り除く第５工程を含むことを最も主要な特徴とする。
【発明の効果】
【００１０】
本発明の天井の立体的装飾施工法では、天井下地の材質や外気の環境などによらず、装飾用ボードが固着前に天井から落ちることを防止する。加えて本発明の工程を減ることによって残るピン跡は、通常の家屋の使用では見えない程度に目立たないものであるから、Ｄボード工法による美しい仕上がりを損なうことがない。
【００１１】
さらに言えば、本発明の立体的装飾施工法が天井用途であることから、本発明はいっそう効果的である。具体的には本発明で施工する仮ピン留めによって十字目地周辺にはごく微細なピン穴が発生することになる。しかし、このピン穴は目地に存在していることにより場所的に目立たないばかりか、装飾用塩化ビニル樹脂フィルムに復元力によりピン穴はほぼ塞がれてしまう。さらに壁や床と異なり、天井という性質から、その建築物の住人等が近寄ってピン穴を近づいて凝視するような機会もない。すなわち、本発明で施工する仮ピン留めは、天井に立体的装飾を施すために必要になる工程であるが、一方で天井への立体的装飾であるがゆえの有利な効果も発揮できるのである。
【図面の簡単な説明】
【００１２】
【図１】本発明の第４工程を示す部品分解説明図である。
【図２】本発明の第４工程による仮ピン留め状態を示す斜視図である。
【図３】本発明の工程を順番に示す要部拡大図である。  (a)第３工程完了時  (b)第４工程  (c)第４工程完了時  (d)第５工程
【発明を実施するための形態】
【００１３】
以下、本発明の天井の立体的装飾施工法を５つの工程に分けて説明する。基本的には第１工程から第５工程の順に行なわれるものである。ただし特に第２工程など、時系列として第１工程を経てからでないとできない工程ではないから、この点において必ずしも工程の数字の順番が時系列を示すものではない。すなわち、第１工程と同時並行して第２工程を行なうこともできるし、さらには第２工程完了後に第１工程を行なうこともできる。また本発明の天井の立体的装飾施工法は、前記の第１工程から第５工程を含む限り、その他の工程を経ることを排除するものではない。
【００１４】
第１工程から第３工程は、いわゆるＤボード工法として知られた工程である。第４工程および第５工程が、Ｄボード工法によって天井の立体的装飾を施工するにあたって装飾用ボードの落下を防止する本発明に特徴的な工程である。
【００１５】
（第１工程）
本発明の天井の立体的装飾施工法における第１工程は、板状の不燃性基材パネルの一方板面を表面、反対板面を裏面、板面を除く４面を側面としたときに、前記不燃性基材パネルの表面、４側面および裏面の縁部を装飾用塩化ビニル樹脂フィルムでラミネート加工して装飾用ボードとする工程である。つまり四方巻込貼りである。裏面の縁までラミネート加工するのは、装飾用ボードを貼り付けたときにできる目地において目地溝の側面、底面のみならず、これらの隙間からも下地材を見えないようにするためである。なお、本施工法では裏目の全面にラミネート加工することを排除するものではないが、装飾用塩化ビニル樹脂フィルムを無駄に使用することになるだけでなく、天井下地に装飾用ボードを貼り付ける際、またその後の使用中に、粘着力不足による落下の要因になりかねないので好適ではない。
【００１６】
なお板（状）とは、一般的に対向する三平面による立体形状のうち、一の対向平面が他の二の対向平面より十分広い表面積を持つ形状である。その十分広い表面積の対向平面が板面であり、本明細書において板面の一方を表面、他方を裏面とし、その他の４面は側面である。
【００１７】
不燃性基材パネルの板面形状は、一般的には正方形であるが、同型複数の不燃性基材パネルを装飾用ボードにした後、並べて目透かし貼りしたときに、十字目地ができうる限りで形状は問わない。十字目地ができる目地割りとしては、芋目地のほか、縦芋目地や四半目地であってもよい。
【００１８】
不燃性基材パネルの不燃性は、素材として法定基準を満たす法定不燃材から選び、その法定不燃材に特段の加工をすることなく下記記載の工程を行なうことで確保できる（合わせ不燃）。ただし本工程をＤボード工法の一工程と呼べるようにするには、不燃性基材パネルの素材として、法定不燃材のなかでも特にケイカル板（ケイ酸カルシウムの板）を選択する。
【００１９】
加えて本工程をＤボード工法の一工程と呼べるようにするには、塩化ビニル樹脂フィルムとしてダイノック（登録商標）フィルムを使用し、かつ特定の業者の工場で工場貼りされたものでなければならない。Ｄボード工法では、この装飾用塩化ビニル樹脂フィルムを建築物現場で燃性基材パネルに貼り付けるのではなく工場貼りできることが特徴であり、これにより仕上がりを美しくできるだけでなく、工期も短縮できる利点があるとされる。ただし本発明の施工法では、Ｄボード工法への適用のみならず、Ｄボード工法とはいえないラミネート加工であっても、前記第１工程の要素を満たす限り適用が可能である。
【００２０】
（第２工程）
本発明の天井の立体的装飾施工法における第２工程は、天井下地に前記装飾用ボードを目透かし貼りしたときに目地となる予定箇所に、予め前記装飾用塩化ビニル樹脂フィルムを貼付する工程である。したがって本工程に先駆けて、天井下地のどの位置に装飾用ボードを貼っていくかの位置決めを行なうことになる。第２工程で用いる装飾用塩化ビニル樹脂フィルムは、第１工程で用いた装飾用塩化ビニル樹脂フィルムと同種同デザインのものとするのが一般的である。
【００２１】
第１工程における不燃性基材パネルのラミネートに際して裏面の縁までラミネート加工する理由と同じ理由で、目地（予定）箇所に装飾用塩化ビニル樹脂フィルムを貼る際には、目地よりも若干はみ出すように、すなわち仕上がりの際には装飾用塩化ビニル樹脂フィルムのフィルムが伸びる側の両端が若干装飾用ボードに隠れるように装飾用塩化ビニル樹脂フィルムを貼ることが好ましい。ただし第１工程において装飾用塩化ビニル樹脂フィルムを不燃性基材パネル裏面全面にラミネートする場合と同じ理由で、天井下地全体に装飾用塩化ビニル樹脂フィルムを貼付することは、排除するものではないが好適ではない。
【００２２】
天井下地の素材は接着剤を使って装飾用ボードを接着できるものであれば特に限定されるものではないが、好適な例として石こうやモルタルなどを挙げることができる。なお天井面材としての不燃性を確保するためには、素材として木材等の可燃性材料は好適ではない。
【００２３】
（第３工程）
本発明の天井の立体的装飾施工法における第３工程は、複数の前記装飾用ボードの裏面に少なくとも接着剤を塗布して前記天井下地に目透かし貼りする工程である。装飾用ボードは第２工程で述べた位置決めに従って貼り付けられる。接着には主に接着剤が固化するまでの初期接着力のための両面テープ（１次接着）と、恒久的接着のための接着剤（２次接着）が一般に用いられる。ただし本発明では第４工程で装飾用ボードが保持されるので１次接着の両面テープを必ずしも使用しなくてもよい。両面テープを使用しない場合、或いは両面テープの使用割合を通常よりも減らせば、その分接着剤を貼付する面積が増え、これにより恒久的な接着力が増すので特に天井の立体的装飾として好ましい。
【００２４】
なお、Ｄボード工法では、接着剤として「３Ｍ（登録商標）化粧パネル用ボンドＩＢ２５」（主成分：シリル化ウレタン樹脂系）、両面テープとして「３Ｍ（登録商標）スコッチマウント（登録商標）両面粘着フォームテープＭＩＸ−３１３」（アクリル系粘着剤）を使用することが推奨されている。
【００２５】
（第４工程）
上述の通り第４工程は、本発明の施工法に特徴的な工程であるから図面を用いて詳説する。ただし、本発明の施工法は、図面に示された様態のみに限られるものではない。図１は第４工程での作業を説明するための部品分解説明図である。図２は第４工程を経て装飾用ボード１０が保持板２０で保持されている状態を示す斜視図である。図３は、第３工程完了時から第５工程までを順番に示した要部拡大図である。このうち(a)は第３工程完了時、(b)は第４工程での作業、(c)は第４工程完了時  (d)は第５工程の作業を示している。
【００２６】
本発明の天井の立体的装飾施工法における第４工程は、図１のとおり、目地５０が交差する十字目地を形成する４枚の装飾用ボード１０それぞれに当接するように保持板２０を押し当てた状態で、少なくとも前記保持板２０  １枚につき４箇所において保持板２０表面から前記保持板２０を貫通して前記十字目地の交差部から伸びる４方向の目地路それぞれに刺さるように仮ピン留めを行なう工程である。
【００２７】
第４工程では、図３(a)に示したような第３工程で一次接着或いは仮接着している装飾用ボード１０を該ボード表面から押さえる保持板２０を用いる。１枚の保持板２０で、４枚の装飾用ボード１０押さえる。すなわち４枚の装飾用ボード１０を目透かし貼りしてできる目地５０の交差部である十字目地を隠すように保持板２０を、４枚の装飾用ボード１０に当接させた状態とする。このとき理想的には、保持板２０の中心点が、その下に隠れている十字目地の中心と一致する。
【００２８】
１枚の保持板２０によって保持される（言い換えると、保持板２０の下に隠れる）１枚の装飾用ボード１０の面積割合は、装飾用ボード１０表面の表面積（すなわち、裏面および４側面の表面積を含まない）に対して１／１２０以上とすることが好ましい。１枚の装飾用ボード１０は端に配されるものを除き４枚の保持板２０で保持されるので、この場合、１枚の装飾用ボード１０全体は、保持板２０が押し当てられている四隅の合計面積割合１／３０以上の範囲で保持されていることになる。１枚の保持板２０で保持されている１枚の装飾用ボードの面積割合が１／１２０を下回る箇所があると、その箇所における仮止めの効果が十分でなくなるおそれがある。なお、１枚の保持板２０によって保持される１枚の装飾用ボード１０の面積割合が１／４になれば、理論的には装飾用ボードの全面が覆われることになるので、１枚の保持板２０によって保持される１枚の装飾用ボード１０の面積割合は１／４を超える必要はない。
【００２９】
上記のように装飾用ボード１０を保持板２０で保持している状態で仮ピン留めを行なう。仮ピン留めによって装飾用ボード１０を傷つけないようにするため、図３(b),(c)に示したようにピン３０は保持板２０を貫通したあと、直接目地５０に刺さる位置で仮ピン留めされる。ここで仮ピン留めの箇所をできるだけ少ない状態で装飾用ボード１０の保持を最大限効率よくするために、図１に示したように、仮ピン留めは十字目地の交差部から伸びる４方向の目地路それぞれに刺さるように行なう。ひとつの目地路の上下左右に少なくとも一つの仮ピン留めを行なうので、ひとつの十字目地の周辺目地５０には少なくとも４箇所で仮ピン留めされることになる。仮ピン留めによって保持板２０に保持された装飾用ボード１０は図２のようになる。なお図面の様態では、ひとつの目地路の上下左右にそれぞれ２つの仮ピン留めがされた、すなわち８箇所に仮ピン留めされた状態が図示されている。
【００３０】
第４工程の仮ピン留めは、第３工程の目透かし貼りが全て終わってから行なうこともできるが、第３工程において、十字目地を形成する４枚の装飾用ボードを目透かし貼りして一画を形成し、その直後に当該一画について第４工程の仮ピン留めし、その後、他の一画に対しても同様の作業を行なうといった都度の目透かし貼りと仮ピン留めを繰り返して作業することもできる。接着剤１４が乾燥するまでの接着力に不安があるときは、都度の作業を繰り返すほうが好ましい。
【００３１】
第４工程で使用するピン３０の胴部の直径は、好ましくは０．６ｍｍ〜１．３ｍｍである。胴部の直径が０．６ｍｍ未満であると、保持板２０を含む装飾用ボード１０の保持力が十分確保できなくなるおそれがある。一方、胴部の直径が１．３ｍｍを超えると仕上がり後にピン穴が目立ってくるおそれがある。
【００３２】
保持板２０の材質、形状などは特に制限がないが、作業のしやすさの観点からは、材質としては中密度繊維板（ＭＤＦ）やコンクリートパネル板（コンパネ板）などの木材板、ケイ酸カルシウム板（ケイカル板）などを例示できる。また大きさ・形状の一例としては、一辺１５０ｍｍの正方形形状で、厚みが５ｍｍ程度である。
【００３３】
保持板２０は、その片面の全体が樹脂または繊維材により覆われた保護面２２であることが好ましい。具体的に保護面２２を形成する具体的な方法としては、保持板２０片面の全体を樹脂素材でコーティングする、布を貼付するなどである。そのうえで、保持板２０を装飾用ボード１０に押し当てる際に、装飾用ボード１０と当接する側を保護面２２とすることで、作業によって装飾用ボード１０が傷つくリスクを解消することができる。
【００３４】
仮ピン留めの作業を容易にするため、保持板２０の片面、保護面２２を有する場合は保護面２２の反対面に、保護面２２の下に位置する目地路に沿わせるためのガイド線や、ピンを打ち付ける目安箇所を示すガイド目印を記入してもよい。
【００３５】
第４工程として記載した作業のみで保持板２０に保持される装飾用ボード１０の大きさは、一辺、正方形でないときは長辺が１．３ｍ以下であることが好ましい。一辺が１．３ｍを超える装飾用ボード１０の場合、十字目地周辺のみの仮ピン留めだけでは保持が困難になるおそれがある。
【００３６】
一辺が１．３ｍを超える装飾用ボード１０の場合、十字目地周辺のみの仮ピン留めだけでなく、隣り合う保護板の中間位置に、追加の補助保持板（図示せず）を使って仮ピン留めを行なう工程を追加して行なうことが好ましい。この場合、補助保持板を隣り合わせの修飾用ボードに当接するように押し当て、ピンは前記補助保持板の表面から前記補助保持板を貫通して修飾用ボード１０で形成される目地路に突き刺さるように仮ピン留めする。このとき前記補助保持板１枚につき少なくとも２箇所において仮ピン留めする。１箇所のみの仮ピン留めの場合、補助保持板が仮ピン留め箇所を中心に回転するおそれがあり好ましくない。
【００３７】
（第５工程）
第５工程では、図３の(d)に示したように、装飾用ボードと前記天井下地との間の接着剤が固着した後に、第４工程で行なった仮ピン留めを外して保持板を取り除く工程である。接着が完了する時間は、接着剤の種類にもよるが、建具用の接着剤であると一般的には半日〜１日程度である。したがって通常、第４工程を完了させ、その日の夜半放置すると翌日には第５工程に取りかかることができる。なお、ここでいう接着剤の固着とは、保持板を取り外しても装飾用ボードが落下しない十分な接着力があれば足り、その接着剤の接着力を余すことなく発揮するまでに完全に乾燥した固着でなくてもよい。
【００３８】
仮ピン留めしたピンを外す方法としては、ピンを個々に取り外すこともできるし、仮ピン留めされている保持板ごと取り外すことでピンを外すこともできる。いずれにせよ、雑にピンを外すと、目地に残るピン穴が無用に広がるおそれや、保持板の縁で修飾用ボードを傷つけることもあるので、ピンを取り外しは慎重に行なう必要がある。
【産業上の利用可能性】
【００３９】
以上の通り、本発明の天井の立体的装飾施工法は、美麗な仕上がりの立体的な内装修飾施工法であるＤボード工法を天井の装飾に安全に適用する工法として産業上の有用性は大きい。
【符号の説明】
【００４０】
１０                  装飾用ボード
１２                  装飾用塩化ビニル樹脂フィルム
１４                  接着剤
１６                  両面テープ
１８                  不燃性基材パネル
２０                  保持板
２２                  保護面
３０                  ピン
４０                  天井下地
５０                  目地
【図１】
2020020116.tif 000003
【図２】
2020020116.tif 000004
【図３】
2020020116.tif 000005